(57)【要約】【課題】  機構が簡単で、ワンタッチ作業がシンプルで、ごみ箱のデザイン性を損なうおそれのないロック機構を備えたごみ箱を提供する。【解決手段】  一端をヒンジ部２、他端をロック部３とした蓋板１を開閉自在に設けるとともに蓋板に開放方向の付勢力を与えたごみ箱において、天板２０Ａに押圧部を、垂下板２０Ｂにごみ箱本体への係止部２４を設けた倒立Ｌ字形のロック解除操作片２０を、枢支部を蓋板の端部側に、押圧部を蓋板の内方に設定して蓋板に回動自在に設けるとともに、上記ロック解除操作片に天板の上昇方向の付勢力を与えることにより、ロック解除操作片の天板が付勢力により上昇位置に存する時は垂下板の係止部がごみ箱本体の被係止部１３に係止して蓋板が被蓋状態でロックされ、ロック解除操作片の天板が押圧部を押し込むことにより下降位置に存する時は垂下板の係止部がごみ箱本体の被係止部から離脱して蓋板のロックが解除されるようにする。【選択図】  図８
2018070246.tif 000002
【特許請求の範囲】
【請求項１】
ごみ箱本体の上部開口に対し、一端をヒンジ部、他端をロック部とした蓋板を上下に開閉自在に設けるとともに上記蓋板に開放方向の付勢力を与えたごみ箱において、天板に押圧部を、垂下板にごみ箱本体への係止部を設けた倒立Ｌ字形のロック解除操作片を、枢支部を蓋板の端部側に、押圧部を蓋板の内方に設定して蓋板に回動自在に設けるとともに、上記ロック解除操作片に天板の上昇方向の付勢力を与えることにより、ロック解除操作片の天板が付勢力により上昇位置に存する時はごみ箱本体へ近づいた垂下板の係止部がごみ箱本体の被係止部に係止して蓋板が被蓋状態でロックされ、ロック解除操作片の天板が押圧部を押し込むことにより下降位置に存する時はごみ箱本体から離れた垂下板の係止部がごみ箱本体の被係止部から離脱して蓋板のロックが解除されることを特徴とするごみ箱。
【請求項２】
弾性を有するプラスチックで構成したロック解除操作片の天板の裏面に、先端が下方に湾曲したバネ足を一体成形により突設するとともに、上記バネ足の一端を蓋板に当接させることにより、回動に伴うバネ足の弾性変形によりロック解除操作片に天板の上昇方向の付勢力を与える手段とした請求項１記載のごみ箱。
【請求項３】
蓋板の一端にロック解除操作片を収容する凹部を凹設し、上記凹部に枢支部を蓋板の端部側に設けたロック解除操作片を天板の上昇時において天板が蓋板の天面と同一平面に位置するように収容した請求項１または２記載のごみ箱。
【請求項４】
ロック解除操作片の垂下板の下端を蓋板の下端と同一平面に位置するように設定するとともに、ごみ箱本体の上部開口の周縁の端部に横置コ字状の係止用アーチ部を立設し、ロック解除操作片の天板が付勢力により上昇位置に存する際にごみ箱本体へ近づいた垂下板の裏面の係止突起が上記係止用アーチ部内に進入してアーチ部の天板の裏面に係止する請求項１から３のいずれかに記載のごみ箱。
【発明の詳細な説明】
【技術分野】
【０００１】
本願発明は、ごみ箱に関し、より詳細にはごみ箱本体に対し開閉自在に被蓋される蓋体を有するごみ箱の蓋体のロック機構に関する。
【背景技術】
【０００２】
ごみ箱本体の上部開口に対し、一端をヒンジ部、他端をロック部とした蓋板を上下に開閉自在に設けるとともに上記蓋板に開放方向の付勢力を与えたごみ箱が公知である（例えば特許文献１、２）。
【０００３】
前記のごみ箱においては、ごみ箱内に廃棄するごみを片手に持った状態で蓋板の開閉作業を行うので、蓋板のロックの解除は残った片手のみでワンタッチで行えることが望ましい。
【０００４】
そのためのロック機構としては、例えば特許文献１には、
「枠体３の凹部に埋設係止されるように下部に弾性をもつた係止部１２が形成された本体１３内に一対の対向した弾性をもつた係止爪１４がその基部１５を介してスプリング１６により上昇力を付与されて内設され、係止爪１４が本体１３内に下降するときには蓋５の係止突部１０を係止するように狭くなり、上昇時には開いて係止が解かれるようになつている。さらに係止爪１４の基部１５には水平溝１７が形成されるとともに本体１３の前面カバー１８の裏面には水平溝１７に対同して底部中央で一旦上昇し凹所１９を有するほぼ三角形状で水平方向幅が水平溝１７の長さより幾分小にしたループ溝２０が形成され、これら水平溝１７とループ溝２０とのあいだにボール２１が保持されている。しかして、蓋を閉じるときは、その係止突部１０によつて係止爪１４の基部１５が押し下げられるから、係止爪１４は狭まりながら下降すると同時にボール２１もループ溝２０中を下降し、係止突部１０は係止爪１4 によつて係止され、その押圧力を解くと第7 図（ｂ）のようにボール２１は凹所１９に至つて一旦停止し、蓋５の閉鎖状態が保たれる。次に、再び蓋５を押圧して係止突部１０によつて基部15を押し下げると、ボール２１は水平溝１７の頂部によつて第７図(b) の矢印のように移動しつつスプリング１６によつて係止爪１４が上昇しつつ開き、蓋５はバネ材８によつて自動的に開かれる。」
〜ロック機構が開示されている。
【０００５】
また、特許文献２には、
「容器１と、容器１の口２の後部に軸３で軸支しその軸支部まわりに開閉できるようにした蓋４とを備えたごみ容器５において、蓋４の前部に軸１１で軸支されてこの軸支部より上方に延びて把持され軸支部まわりに回動操作しまた蓋４の前部を上げ下げする把持部１２と、この把持部１２に一体で前記軸支部より下方に延びて容器１の口２の係合部２ａに側方から係合し蓋４を閉じ状態にロックする位置とこのロックを解除するロック解除位置とに把持部１２によって回動操作される係止部１３とを設けた。」
〜ロック機構が開示されている。
【先行技術文献】
【特許文献】
【０００６】
【特許文献１】実願昭５９−４５３０号（実開昭６０−１１５８５７号）のマイクロフィルム
【特許文献２】特開２００７−２３０７２６号公報
【発明の開示】
【発明が解決しようとする課題】
【０００７】
前記の公知発明におけるロック機構において、前者のものは蓋体の押圧動作のみによってロックおよびロックの解除を行うことができるのでワンタッチ作業が非常に簡単で、ロックのための操作部材を別途要しないので蓋体回りがすっきりとし、ごみ箱のデザイン性を損なうことがない。
【０００８】
しかしながら、その反面、係止部回りの複雑な構造のため、プラスチックの成形によりごみ箱を製造する場合の障害となり、また、スプリングやボールなどの金属部品を別途用意しなくてはならず、製造コストが嵩む問題があった。さらに機構が複雑な上、スプリングやボールなどの複数の部材を組み合わせているので故障のおそれもあった。
【０００９】
一方、後者のものは把持部の回動によりロックおよびロックの解除を行うものであるので、係止部回りの構造が比較的簡素であり、また、スプリングなどの金属部品を使用していないので、製造コスト上有利である。
【００１０】
しかしながら、ロックの解除にあたっては把持部を回動させる作業が必要となり、前者のものに比べてワンタッチ作業がやや複雑となる。また、把持部が蓋体から大きく突出するので何かの拍子に把持部に物が当たった時に蓋体を勝手に開くおそれもあり、一方、大きく目立つ把持部の存在がごみ箱のデザイン性を損なうおそれもある。
【課題を解決するための手段】
【００１１】
本願発明は以上の従来技術の問題点に鑑み、機構が簡単で、かつワンタッチ作業がシンプルで、しかもごみ箱のデザイン性を損なうおそれのないロック機構を備えたごみ箱を提供することを目的として創作されたものである。
【００１２】
すなわち、この発明のごみ箱は、ごみ箱本体の上部開口に対し、一端をヒンジ部、他端をロック部とした蓋板を上下に開閉自在に設けるとともに上記蓋板に開放方向の付勢力を与えたごみ箱において、天板に押圧部を、垂下板にごみ箱本体への係止部を設けた倒立Ｌ字形のロック解除操作片を、枢支部を蓋板の端部側に、押圧部を蓋板の内方に設定して蓋板に回動自在に設けるとともに、上記ロック解除操作片に天板の上昇方向の付勢力を与えることにより、ロック解除操作片の天板が付勢力により上昇位置に存する時はごみ箱本体へ近づいた垂下板の係止部がごみ箱本体の被係止部に係止して蓋板が被蓋状態でロックされ、ロック解除操作片の天板が押圧部を押し込むことにより下降位置に存する時はごみ箱本体から離れた垂下板の係止部がごみ箱本体の被係止部から離脱して蓋板のロックが解除されることを特徴とする。
【００１３】
また、請求項２記載の発明は、前記のごみ箱において、弾性を有するプラスチックで構成したロック解除操作片の天板の裏面に、先端が下方に湾曲したバネ足を一体成形により突設するとともに、上記バネ足の一端を蓋板に当接させることにより、回動に伴うバネ足の弾性変形によりロック解除操作片に天板の上昇方向の付勢力を与える手段としたことを特徴とする。
【００１４】
また、請求項３記載の発明は、前記のごみ箱において、蓋板の一端にロック解除操作片を収容する凹部を凹設し、上記凹部に枢支部を蓋板の端部側に設けたロック解除操作片を天板の上昇において天板が蓋板の天面と同一平面に位置するように収容したことを特徴とする。
【００１５】
また、請求項４記載の発明は、前記のごみ箱において、ロック解除操作片の垂下板の下端を蓋板の下端と同一平面に位置するように設定するとともに、ごみ箱本体の上部開口の周縁の端部に横置コ字状の係止用アーチ部を立設し、ロック解除操作片の天板が付勢力により上昇位置に存する際にごみ箱本体へ近づいた垂下板の裏面の係止突起が上記係止用アーチ部内に進入してアーチ部の天板の裏面に係止することを特徴とする。
【発明の効果】
【００１６】
本願発明のごみ箱によれば、天板に押圧部を、垂下板にごみ箱本体への係止部を設けた倒立Ｌ字形のロック解除操作片を採用し、ロック解除操作片の天板に上昇方向の付勢力を与えることにより、付勢力により天板が上昇位置に存する時は垂下板の係止部がごみ箱本体の被係止部に係止して蓋板が被蓋状態でロックされ、押圧部を押し込むことにより天板が下降位置に存する時は垂下板の係止部がごみ箱本体の係止部から離脱して蓋板のロックが解除されるが、この場合、ロック解除操作片の枢支部を蓋板の端部側に、押圧部を蓋板の内方に設定している。よって、ロックに際しては蓋板を押し下げるだけでそれが実現され、ロックの解除に際しては蓋板上の内方に位置するロック解除操作片の天板の押圧部を押し込むだけでそれが実現されるので前記の特許文献２に記載の従来発明のロック機構と比べた場合、極めて自然な挙動によりワンタッチでロックを解除することができる。
【００１７】
次に、請求項２記載の発明によれば、弾性を有するプラスチックで構成したロック解除操作片の天板の裏面に、先端が下方に湾曲したバネ足を一体成形により突設するとともに、上記バネ足の一端を蓋板に当接させることにより、回動に伴うバネ足の弾性変形によりロック解除操作片に天板の上昇方向の付勢力を与える手段としたので、付勢力を与えるに際し別途金属製のバネを要することがなく、製造コストを軽減することが可能となる。
【００１８】
次に、請求項３記載の発明によれば、蓋板の一端にロック解除操作片を収容する凹部を凹設し、上記凹部に枢支部を蓋板の端部側に設けたロック解除操作片を天板の上昇において天板が蓋板の天面と同一平面に位置するように収容するので、ロック解除操作片が蓋板に埋没して一体化し、ごみ箱のデザイン性を損なうことを防止でき、また物が当たって蓋体が勝手に開くおそれもない。
【００１９】
次に、請求項４記載の発明によれば、ロック解除操作片の垂下板の下端を蓋板の下端と同一平面に位置するように設定するとともに、ごみ箱本体の上部開口の周縁の端部に横置コ字状の係止用アーチ部を立設し、ロック解除操作片の天板が付勢力により上昇位置に存する際にごみ箱本体へ近づいた垂下板の裏面の係止突起が上記係止用アーチ部内に進入してアーチ部の天板の裏面に係止するので、係止機構が全てごみ箱本体上と蓋体内に収容され、ロック解除操作片が蓋体の下方より突出することがなく、ごみ箱のデザイン性を損なうことを防止できる。
【００２０】
以上のように、本願発明のごみ箱は蓋板上の内方に位置するロック解除操作片の天板の押圧部を押し込むだけでロックを解除できるので、蓋体の押圧動作のみによってロックを解除できる前記特許文献１に記載の従来発明と同様にシンプルなワンタッチ作業が実現できるが、反面、そのための機構が上記従来発明に比べて飛躍的に簡単で、かつ金属部品を使用することもないという特徴を有する。
【００２１】
また、機構が簡単で、かつ金属部品を使用することもないことは、前記特許文献２に記載の従来発明と同様であるが、そのための機構が上記従来発明のように大きく突出することがなく、蓋板に埋没して一体化するので、ごみ箱のデザイン性を損なうことを防止でき、物が当たって蓋体が勝手に開くおそれがないという特徴を有する。
【図面の簡単な説明】
【００２２】
【図１】本願発明のごみ箱の被蓋状態の斜視図。
【図２】同上、蓋を開放した状態の斜視図。
【図３】同上、ロック解除操作片を外した状態の蓋体の要部の斜視図
【図４】同上、ロック解除操作片を表面側から観察した斜視図。
【図５】同上、ロック解除操作片を裏面側から観察した斜視図。
【図６】同上、ロック状態の蓋体の要部の斜視図。
【図７】同上、ロックを解除した状態の蓋体の要部の斜視図。
【図８】同上、ロック状態の蓋体の要部の断面図。
【図９】同上、ロックを解除した状態の蓋体の要部の断面図。
【発明を実施するための最良の形態】
【００２３】
以下、本願発明のごみ箱の具体的実施例を添付図面に基づいて説明する。図１および２は本願発明が実施されるごみ箱の一例を示す図である。このごみ箱はプラスチックを成形することにより得られるものであり、ごみ箱本体１０の上部開口１１に対し、一端をヒンジ部２、他端をロック部３とした蓋板１を上下に開閉自在に設けるとともに上記蓋板に開放方向の付勢力を与えた公知の基本構成からなる。
【００２４】
図３〜図９は本願発明の要旨となるロック部３の詳細を示す図である。図中符号２０はロック解除操作片を示す。このロック解除操作片２０は天板２０Ａに押圧部を、垂下板２０Ｂにごみ箱本体１０への係止部２４を設けた倒立Ｌ字形からなり、天板と垂下板が突き合う箇所に回動のための枢支部を構成する軸孔２１、２１が設けられる。
【００２５】
一方、蓋体１の一端には前記のロック解除操作片２０を収容する凹部４を蓋体の端部側を開放した状態で凹設するとともに（図３参照）、上記凹部の蓋体の端部側上方に突設した軸６、６を前記のロック解除操作片２０の軸孔２１、２１に軸通することにより、枢支部を蓋板の端部側に設けたロック解除操作片を天板の上昇時において天板が蓋板の天面と同一平面に位置するように収容する。
【００２６】
前記のロック解除操作片２０は回動時に天板２０Ａの上昇方向の付勢力が与えられるが、ここでは弾性を有するプラスチックで構成したロック解除操作片の天板の裏面に、先端が下方に湾曲した一対のバネ足２３、２３を一体成形により突設するとともに、上記バネ足の一端を蓋板１に当接させることにより、回動に伴うバネ足の弾性変形によりロック解除操作片に天板の上昇方向の付勢力を与える手段としている（図８および９参照）。なお、前記の凹部４の蓋板の内方側の上端部には庇状の張り出し部５を設けることにより、収容したロック解除操作片２０の天板２０Ａの端部２２が上記の張り出し部５に当接し、それ以上の回動を阻止するようにしている。
【００２７】
図中符号１３はごみ箱本体１０の上部開口１１の周縁１２の前端部に立設される係止用アーチ部である（図２および図３参照）。上記係止用アーチ部１３は横置コ字状とすることにより両側壁と天板との間に被係止穴を生じせしめ、ロック解除操作片２０の天板２０Ａが付勢力により上昇位置に存する際にごみ箱本体へ近づいた垂下板２０Ｂの裏面の係止突起２４が上記係止用アーチ部の被係止穴内に進入してアーチ部の天板の裏面に係止するようにしている。前記の垂下板２０Ｂの裏面の係止突起２４は先端を細幅としたテーパ状に構成することにより、蓋板１を被蓋した際に先端が付勢力に抗して係止用アーチ部１３の天板前端を乗り越えて係止用アーチ部内に進入できるようにしている。また、上記ロック解除操作片２０の垂下板２０Ｂの下端は蓋板１の下端と同一平面に位置するように設定している。
【符号の説明】
【００２８】
１        蓋体
２        ヒンジ部
３        ロック部
４        凹部
５        張り出し部
６        軸
１０      ごみ箱本体
１１      上部開口
１２      周縁
１３      係止用アーチ部
２０      ロック解除操作片
２０Ａ    天板
２０Ｂ    垂下板
２１      軸孔
２２      端部
２３      バネ足
２４      係止突起
【図１】
2018070246.tif 000003
【図２】
2018070246.tif 000004
【図３】
2018070246.tif 000005
【図４】
2018070246.tif 000006
【図５】
2018070246.tif 000007
【図６】
2018070246.tif 000008
【図７】
2018070246.tif 000009
【図８】
2018070246.tif 000010
【図９】
2018070246.tif 000011